(57)【特許請求の範囲】
【請求項１】
金属製のシャーシ上に複数のスライドレバーを軸部に積層して、この複数のスライドレバーを上記シャーシの面と水平方向にスライド自在に取り付けた記録再生装置のスライドレバー取り付け構造において、
上記軸部はシャーシに各々絞り加工による大径絞り部と、この大径絞り部上に小径絞り部を一体に突設して構成し、上記大径絞り部に、この大径絞り部に一方のスライドレバーをスライド自在に挿通し、上記小径絞り部に、この小径絞り部に他方のスライドレバーをスライド自在に挿通し、上記一方のスライドレバーはシャーシの面と他のスライドレバーとにより軸方向の移動が規制され、上記他方のスライドレバーは小径絞り部の上端を外側にかしめて、鍔部を形成し、この鍔部と上記大径絞り部とで軸方向の移動を規制させて成る記録再生装置のスライドレバー取付構造。
【発明の詳細な説明】
【０００１】
【産業上の利用分野】
この発明は、オーディオ用のオートリバース式テープレコーダ等の記録再生装置のスライドレバー取付構造に関する。
【０００２】
【従来の技術】
例えば、オーディオ用のテープレコーダでは、各種操作レバーとして金属製のスライドレバーを用い、このスライドレバーを金属板状のシャーシに軸を介してスライド自在に支持してある。これを、図３９によって簡単に説明すると、テープレコーダのキャビネット内には金属板状のシャーシ２００を配置してある。このシャーシ２００の一端部側には、金属製で円柱状の軸２０１を複数本かしめ固定してある。そして、この各軸２０１の大径部２０１ａには金属製の第１，第２のスライドレバー２０２，２０３を左右方向にスライド自在に支持してあると共に、該軸２０１の小径部２０１ｂには例えば早送り操作レバーとしての金属製の第３のスライドレバー２０４を前後方向にスライド自在に支持してある。この第３のスライドレバー２０４を軸２０１の先端部２０１ｃに止められたＥリング型の止めワッシャ２０５により抜け止めされて、各軸２０１に３つの各スライドレバー２０２，２０３，２０４がそれぞれ積層支持されている。
【０００３】
【発明が解決しようとする課題】
しかしながら、上記従来のテープレコーダのスライドレバー取付構造では、３つの各スライドレバー２０２，２０３，２０４を抜け止めして積層スライド自在に支持するには、複数本の軸２０１と止めワッシャ２０５が必要不可欠であるため、部品代がかかり、また、各軸２０１をシャーシ２００にかしめ固定するかしめ工賃や止めワッシャ２０５を止める固定工賃もかかって組立工数が増え、全体的にコスト高になる不利点があった。さらに、かしめ抜け等によって軸２０１等が落下する虞れもあり強度的にも不安定であった。
【０００４】
そこで、この発明は、部品点数及び組立工数を削減でき、低コストで常に安定した状態でスライドレバーをスライド自在に積層支持することができる記録再生装置のスライドレバー取付構造を提供するものである。
【０００５】
【課題を解決するための手段】
金属製のシャーシ上に複数のスライドレバーを軸部に積層して、この複数のスライドレバーを上記シャーシの面と水平方向にスライド自在に取り付けた記録再生装置のスライドレバー取り付け構造において、
上記軸部はシャーシに各々絞り加工による大径絞り部と、この大径絞り部上に小径絞り部を一体に突設して構成し、上記大径絞り部に、この大径絞り部に一方のスライドレバーをスライド自在に挿通し、上記小径絞り部に、この小径絞り部に他方のスライドレバーをスライド自在に挿通し、上記一方のスライドレバーはシャーシの面と他のスライドレバーとにより軸方向の移動が規制され、上記他方のスライドレバーは小径絞り部の上端を外側にかしめて、鍔部を形成し、この鍔部と上記大径絞り部とで軸方向の移動を規制する。
【０００６】
【作用】
複段絞り部の各大小径部に複数のスライドレバーはスライド自在に積層されて支持される。また、各スライドレバーはかしめ部により抜け止めされている。複段絞り部及びかしめ部は金属製のシャーシに一体形成されているので、部品点数及び組立工数が大幅に削減され、各スライドレバーの位置精度が出し易くて機械的強度も強い。
【０００７】
【実施例】
以下、この発明の実施例を図面と共に詳述する。
【０００８】
図１，２及び図３５において、１はオーディオ用のオートリバース式テープレコーダ（リバース式記録再生装置）である。このテープレコーダ１は、合成樹脂製（以下、樹脂製という）の筐型のキャビネット２の右側面に図示しないステレオヘッドフォン接続端子を備えた携帯用で小型，軽量のものであり、該キャビネット２の上面側においてテープカセット１００より一回り大きく開口した開口部２ａにカセットホルダーを兼ねた樹脂製の蓋体３を手動により開閉自在に設けてある。
【０００９】
また、キャビネット２には、テープカセット１００の一対のリール１０１，１０２に両端側が巻き付けられた磁気テープ１０３を再生（ＦＷＤ）走行，逆転再生（ＲＶＳ）走行，停止（ＳＴＯＰ）等させる機構部（メカデッキ部）１０を内蔵してある。さらに、キャビネット２の正面には、テープ１０３を再生，逆転再生する時に押す再生ボタン４と、テープ１０３を早送り（ＦＦ）する時に押す早送りボタン５と、テープ１０３を巻戻す（ＲＥＷ）時に押す巻戻しボタン６と、テープ１０３の再生，逆転再生を停止する時に押す停止ボタン７と、テープ１０３の走行方向をＦＷＤ方向かＲＶＳ方向かに切り換えるディレクション切換え操作レバー（第２の切換え手段）８０、及び、テープ１０３の往路（Ａ面）と復路（Ｂ面）の両面連続再生モードかテープ１０３のＡ面とＢ面のいずれか一方の片面単独再生モードかに切り換えるモード切換え操作レバー（第４の切換え手段）９０等を設けてある。上記各ボタン４〜７及び各操作レバー８０，９０はそれぞれ樹脂により成形されている。
【００１０】
図３，６に示すように、機構部１０は、略矩形板状で金属製のシャーシ１１を有している。このシャーシ１１の後方の両コーナ部側には、図７に示すように、下面側に円筒状に窪んだ左右一対の凹部１１ａ，１１ｂをプレス成形してある。この各凹部１１ａ，１１ｂの周壁は４つに切り欠かれており、その各底部には所謂アウトサート成形（金属部品の中にプラスチックを埋め込んで成形する方法）により樹脂製の各支軸１２Ｌ，１２Ｒをそれぞれ一体突出成形してある。この一方の支軸１２Ｌには樹脂製の供給リール台１３を、他方の支軸１２Ｒには樹脂製の巻取りリール台１４を、それぞれ回動自在に支持してある。この各リール台１３，１４の下部には大径のギヤ１３ａ，１４ａを円板鍔状に一体突出成形してある。
【００１１】
図３に示すように、シャーシ１１の前側の各リール台１３，１４に対向する位置には、アウトサート成形された樹脂製で円筒状の一対の軸受部１５Ｌ，１５Ｒ等を介して左右一対のキャプスタン１６，１７を回転自在に支持してある。この一対のキャプスタン１６，１７の下部はシャーシ１１の下面より下方に突出していて、図６に示すように、従動プーリ１８Ｌ，１８Ｒをそれぞれ固定してある。この一対の従動プーリ１８Ｌ，１８Ｒと、シャーシ１１の下面側に突出するように取付けられている駆動源としてのモータ１９の駆動軸１９ａに固定された駆動プーリ２０との間には、図６に示すように、駆動ベルト２１を張設してある。また、図２２，３２に示すように、一対の従動プーリ１８Ｌ，１８Ｒの上面側の中央には、小径の歯部１８ａ，１８ａをそれぞれ一体突出成形してある。
【００１２】
図３，５に示すように、シャーシ１１の中央の前後には軸部を成す絞り部１１ｃ，１１ｄをそれぞれ一体突出成形してある。この一対の絞り部１１ｃ，１１ｄを介してシャーシ１１上にはスライドレバーとしての金属製で略十字板状の再生操作レバー（再生操作手段）２２を前後方向にスライド自在に支持してある。この再生操作レバー２２の前片部２２ａには前記再生ボタン４を嵌合してある。また、再生操作レバー２２の中央と後部に形成された一対の長孔部２２ｃ，２２ｄは上記一対の絞り部１１ｃ，１１ｄに挿入されて該各長孔部２２ｃ，２２ｄの長さ分前後方向にスライド自在に支持されていると共に、各絞り部１１ｃ，１１ｄの先端を外側にバーリング（孔広げ）かしめすることにより上記再生操作レバー２２をシャーシ１１上にスライド自在に係止してある。
【００１３】
また、図３，５及び図７に示すように、再生操作レバー２２の前片部２２ａと中央と後端には、折曲げ片２２ｅ，２２ｆ，２２ｇを下方にそれぞれ折り曲げ形成してあり、これら各折曲げ片２２ｅ，２２ｆ，２２ｇはシャーシ１１に対向するように形成された孔部１１ｅ，１１ｆ，１１ｇよりシャーシ１１の下面側に突出するようになっている。図７に示すように、上記中央の折曲げ片２２ｆにはシャーシ１１の下面に突出の突起部１１ｈに設けられた弾性部材としての捩りばね２３の一端側が係止してあり、該捩りばね２３の弾性付勢力により再生操作レバー２２の前片部２２ａは常に前方に突出するようになっている。さらに、再生操作レバー２２の中央右側には略矩形の角孔部２２ｈを形成してあると共に、該レバー２２の前側の上記一対の長孔部２２ｃ，２２ｄと直交する方向には軸部を成す一対の絞り部２２ｉ，２２ｉ及び一対の突出部２２ｊ，２２ｊをそれぞれ一体突出成形してある。
【００１４】
図３，５に示すように、再生操レバー２２上には、一対の絞り部２２ｉ，２２ｉ及び一対の突出部２２ｊ，２２ｊを介して通常の再生（ＮＯＲＭＡＬ  ＰＬＡＹ）か逆転再生（ＲＶＳ  ＰＬＡＹ）かに切り換える金属製で略矩形板状のピンチローラ切換えレバー（第３の切換え手段）２４を左右方向にスライド自在に支持してあると共に、上記一対の突出部２２ｊ，２２ｊには再生ヘッド２５を取付けたヘッド基板２６を一対のねじ２７，２７により締結固定してある。ピンチローラ切換えレバー２４の前縁の中央右側には、絞り部２４ｂを有して再生操作レバー２２の前片部２２ａ上をスライドする舌片状の前片部２４ａを一体突出成形してあると共に、該レバー２４の後縁の中央右側には、再生操作レバー２２の角孔部２２ｈ内に挿入されてシャーシ１１上をスライドするコ字状の後片部２４ｃを一体突出成形してある。これら操作再生レバー２２の前片部２２ａの絞り部２２ｂとピンチローラ切換えレバー２４の前片部２４ａの絞り部２４ｂとの間には弾性部材としての捩りばね２８を介装してあり、該捩りばね２８の弾性付勢力によりピンチローラ切換えレバー２４の左右方向のスライド後の位置が左右のいずれか一方の位置で保持されるようになっている。尚、図２，３に示すように、シャーシ１１上の一対のキャプスタン１６，１７間には、筐型のキャビネット２内に装着されたテープカセット１００の位置決めをする樹脂製の一対のカセット位置決めピン２９，２９をアウトサート成形により一体突出成形してある。
【００１５】
また、図５に示すように、ピンチローラ切換えレバー２４の両側と中央には、各一対の長孔部２４ｄ，２４ｄ及び２４ｅ，２４ｅをそれぞれ形成してあると共に、その両端側には外側に向かって細くなる略台形の一対の係合孔２４ｆ，２４ｇをそれぞれ形成してある。さらに、ピンチローラ切換えレバー２４の左端縁には折曲げ片２４ｈを下方に折り曲げ形成してある。このピンチローラ切換えレバー２４の一対の長孔部２４ｄ，２４ｄは上記再生操作レバー２２の一対の絞り部２２ｉ，２２ｉに挿入されて各長孔部２４ｄの長さ分左右方向にスライド自在に支持されていると共に、該各絞り部２２ｉの先端を外側にバーリング（孔広げ）かしめすることにより上記ピンチローラ切換えレバー２４を再生操作レバー２２上にスライド自在に係止してある。
【００１６】
図３，５に示すように、ピンチローラ切換えレバー２４の一対の係合孔２４ｆ，２４ｇの上方には、左右一対のキャプスタン１６，１７に交互に当接，離反する左右一対のピンチローラ３０，３１を配設してある。この一対のピンチローラ３０，３１は、左右一対のローラ支持アーム３２Ｌ，３２Ｒの半円筒状の各先端部３２ａ側に各軸３３を介して回動自在に支持してある。また、一対のローラ支持アーム３２Ｌ，３２Ｒの各基端部３２ｂは、シャーシ１１上の前側の両コーナ部にアウトサート成形により一体突出形成された左右一対の支軸３４Ｌ，３４Ｒに揺動自在に支持してあると共に、各支軸３４Ｌ，３４Ｒと一体突出成形された左右一対の爪部３５Ｌ，３５Ｒにより抜け止めされている。さらに、一対のローラ支持アーム３２Ｌ，３２Ｒの各基端部３２ｂには各捩りばね３６Ｌ，３６Ｒを巻装してある。この各捩りばね３６Ｌ，３６Ｒの各一端部３６ａ，３６ａは各先端部３２ａ，３２ａに係止してあると共に、各捩りばね３６Ｌ，３６Ｒの各他端部３６ｂ，３６ｂはピンチローラ切換えレバー２４の一対の係合孔２４ｆ，２４ｇ内に挿入，係合してある。
【００１７】
また、図５に示すように、ピンチローラ切換えレバー２４の左端縁の折曲げ片２４ｈは、後述するディレクション切換え操作レバー８０の上面に一体突出形成された一対のピン部８５，８５間に挿入されている。これにより、上記ディレクション切換え操作レバー８０を右側に揺動操作させると、図５，図２３に示すように、ピンチローラ切換えレバー２４は左側にスライドして再生時（ＦＷＤ時）に右側のキャプスタン１７に右側のピンチローラ３１が当接し、ディレクション切換え操作レバー８０を左側に揺動操作させると、図１７に示すように、ピンチローラ切換えレバー２４は右側にスライドして逆転再生時（ＲＶＳ時）に左側のキャプスタン１６に左側のピンチローラ３０が当接して切り換わるようになっている。
【００１８】
図７，図８に示すように、シャーシ１１の下面の前側には、軸部を成す大，小径の２段絞り部３７をプレス加工等により左右に一対それぞれ一体突出成形してあると共に、該シャーシ１１の下面の中央には、軸部を成す１段の小径絞り部３８を左右に一対それぞれ一体突出成形してある。図９，１０に示すように、一対の絞り部３７，３７の各大径絞り部３７ａ，３７ａには、スライドレバーとしての金属製のロックレバー（ロック手段）４０とスライドレバーとしての金属製のスイッチレバー（スイッチ手段）４１とを、それぞれ左右方向にスライド自在に積層してあると共に、該一対の絞り部３７，３７の右側の小径絞り部３７ｂ及び右側の小径絞り部３８には、スライドレバーとしての金属製の早送り操作レバー（早送り操作手段）４２を、左側の小径絞り部３７ｂ及び左側の小径絞り部３８には、スライドレバーとしての金属製の巻戻し操作レバー（巻戻し操作手段）４３を、それぞれ前後方向にスライド自在に積層してある。
【００１９】
また、図７，図８に示すように、シャーシ１１の下面の右前側コーナ部には、軸部を成す１段の小径絞り部３９を前後に一対それぞれ一体突出成形してある。この一対の小径絞り部３９，３９には、スライドレバーとしての金属製の停止操作レバー（停止操作手段）４４を前後方向にスライド自在に支持してある。そして、これら各絞り部３７，３８，３９の各先端は外側にそれぞれバーリングかしめ成形してあり、この各かしめ部３７ｃ，３８ｃ，３９ｃにより各スライドレバー４０，４１，４２，４３，４４はそれぞれスライド自在に係止してある。
【００２０】
図７，８及び図１８に示すように、ロックレバー４０は、前縁側が凹凸状になっている略矩形板状に形成してあり、その右側と中央に一対の長孔部４０ａ，４０ａを形成してある。この各長孔部４０ａが上記シャーシ１１の各大径絞り部３７ａに挿入されていることによりロックレバー４０は左右方向にスライドするようになっている。また、図１８に示すように、ロックレバー４０の右端には停止操作用のテーパ部４０ｂを形成してあると共に、その前縁側には右側から左側にかけて早送り操作用のテーパ部４０ｃ及び鉤部４０ｄと、再生操作用のテーパ部４０ｅ及び鉤部４０ｆと、巻戻し操作用のテーパ部４０ｇ及び鉤部４０ｈと、録音操作用のテーパ部４０ｉ及び鉤部４０ｊとを、それぞれ形成してある。また、ロックレバー４０の上記鉤部４０ｃと鉤部４０ｅとの間にはリンク爪４０ｋを下方に折り曲げ形成してある。さらに、図７に示すように、ロックレバー４０の右端には逆Ｌ字状の折曲げ片４０ｍを、左端には矩形の折曲げ片（一端部）４０ｎを、それぞれ下方に折り曲げ形成してあり、右端の折曲げ片４０ｍには捩りばね４５の一端部４５ａを係止してある。この捩りばね４５はシャーシ１１の下面にアウトサート成形により一体突出形成した樹脂製の軸部４６に巻装されており、ロックレバー４０を停止操作レバー４４側に常に引っ張り付勢するようになっている。
【００２１】
図７，８及び図１８に示すように、スイッチレバー４１はロックレバー４０より短い略矩形板状に形成してあり、その両側に一対の長孔部４１ａ，４１ａを形成してある。この各長孔部４１ａが上記シャーシ１０の各大径絞り部３７ａに挿入されていることによりスイッチレバー４１は左右方向にスライドするようになっている。また、図１８に示すように、スイッチレバー４１の前縁側の中央部には、早送り操作用のテーパ部４１ｃ及び凹部４１ｄと、再生操作用のテーパ部４１ｅ及び凹部４１ｆと、巻戻し操作用のテーパ部４１ｇ及び凹部４１ｈを、それぞれ形成してある。また、スイッチレバー４１の上記リンク爪４０ｋに対向する位置には矩形の孔部４１ｋを形成してあると共に、巻戻し用の凹部４１ｈには電源スイッチ４７の操作部４７ａに当接，離反して該電源スイッチ４７をオン／オフする折曲げ片４１ｍを下方に一体突出形成してある。電源スイッチ４７は、図示しない復帰ばねを内蔵した操作部４７ａがスイッチレバー４１の折曲げ片４１ｍで押圧されて後退している間は電源オン状態となり、折曲け片４１ｍが操作部４７ａから離れて該操作部４７ａが上記復帰ばねにより元の状態に戻ると電源オフ状態となる。この操作部４７の復帰ばねの弾性付勢力によりスイッチレバー４１も元の状態に戻るようになっている。
【００２２】
そして、再生操作レバー２２を捩りばね２３の付勢力に抗して押圧操作してロックレバー４０の再生操作用のテーパ部４０ｅ及び鉤部４０ｆと、スイッチレバー４１の再生操作用のテーパ部４１ｅ及び凹部４１ｆとに該再生操作レバー２２の折曲げ片２２ｅを係止する時に、ロックレバー４０のリンク爪４０ｋによりスイッチレバー４１が左側（巻戻し操作レバー４３側）にスライドして折曲げ片４１ｍで電源スイッチ４７がオンされるようになっている。この電源オン状態は、ロックレバー４０の鉤部４０ｆに再生操作レバー２２の折曲げ片２２ｅがロックされることにより保持され、後述する停止操作レバー４４により再生操作レバー２２のロック状態が解除されるまで保持されるようになっている。後述する早送り操作レバー４２及び巻戻し操作レバー４３の押圧操作でも、再生操作レバー２２の場合と同様に、ロックレバー４０及びスイッチレバー４１が左側にスライドして電源スイッチ４７がオンされると共に、停止操作レバー４４により電源スイッチ４７がオフされるようになっている。
【００２３】
図７，８に示すように、早送り操作レバー４２は、前部４２ａに早送りボタン５を嵌合してあると共に、中央を境にして段差になった前後に一対の長孔部４２ｂ，４２ｃを形成してある。この前側の長孔部４２ｂをシャーシ１１の右側の小径絞り部３７ｂに、後側の長孔部４２ｃをシャーシ１１の左側の小径絞り部３８に、それぞれ挿入することにより、早送り操作レバー４２は前後方向にスライド自在になっている。また、早送り操作レバー４２の左縁側の前側には上方に矩形の折曲げ片４２ｄを、中央には下方にコ字状の折曲げ片４２ｅを、後側には下方にく字状の折曲げ片４２ｆを、それぞれ折り曲げ形成してある。この早送り操作レバー４２の前側の折曲げ片４２ｄには、ロックレバー４０の鉤部４０ｄが係脱自在になっていると共に、中央の折曲げ片４２ｅには捩りばね４８の一端部４８ａが係止されている。この捩りばね４８はシャーシ１１の下面にアウトサート成形により一体突出形成された樹脂製の軸部４９に巻装してあり、早送り操作レバー４２を常に前方に付勢するようになっている。
【００２４】
図７，８に示すように、巻戻し操作レバー４３は、前部４３ａに巻戻しボタン６を嵌合してあると共に、中央を境にして段差になった前後に一対の長孔部４３ｂ，４３ｃを形成してある。この前側の長孔部４３ｂをシャーシ１１の中央の小径絞り部３７ｂに、後側の長孔部４３ｃをシャーシ１１の中央の小径絞り部３８に、それぞれ挿入することにより、巻戻し操作レバー４３は前後方向にスライド自在になっている。また、巻戻し操作レバー４３の右縁側の前側には上方に矩形の折曲げ片４３ｄを、中央には下方にコ字状の折曲げ片４３ｅを、後側には下方にく字状の折曲げ片４３ｆを、それぞれ折り曲げ形成してある。この巻戻し操作レバー４３の前側の折曲げ片４３ｄには、ロックレバー４０の鉤部４０ｈが係脱自在になっていると共に、中央の折曲げ片４３ｅには捩りばね４８の他端部４８ｂが係止されている。この捩りばね４８の付勢力により巻戻し操作レバー４３は常に前方に付勢されるようになっている。
【００２５】
図７，８に示すように、停止操作レバー４４は、前部４４ａに停止ボタン７を嵌合してあると共に、前後に一対の長孔部４４ｂ，４４ｃを形成してある。この一対の長孔部４４ｂ，４４ｃをシャーシ１１の一対の小径絞り部３９，３９にそれぞれ挿入することにより、停止操作レバー４４は前後方向にスライド自在になっている。また、停止操作レバー４４の左縁側の前側には上方に矩形の折曲げ片４４ｄを、右縁側の後側には下方にコ字状の折曲げ片４４ｅを、それぞれ折り曲げ形成してある。この停止操作レバー４４の前側の折曲げ片４４ｄには、ロックレバー４０の右端のテーパ部４０ｂが当接，離反自在になっていると共に、後側の折曲げ片４４ｅには前記捩りばね４５の他端部４５ｂが係止されている。この捩りばね４５の付勢力により停止操作レバー４４は常に前方に付勢されるようになっている。
【００２６】
図４，７及び図８に示すように、シャーシ１１の下面の早送り操作レバー４２と巻戻し操作レバー４３の間の後側には、金属棒状の支軸５０を介して再生（ＦＷＤ）か逆転再生（ＲＶＳ）及び早送り（ＦＦ）か巻戻し（ＲＥＷ）に切り換えるト字状で金属板製のＦＲ切換えレバー（第１の切換え手段）５１を左右方向に揺動自在に支持してある。このＦＲ切換えレバー５１の上面の前縁中央には、シャーシ１１の孔部１１ｉ内に突出する絞り部５１ａを上方に一体突出形成してあると共に、下面の前側両端には円弧状の一対の折曲げ片５１ｂ，５１ｃを下方に一体突出形成してある。また、ＦＲ切換えレバー５１の下面の後側には金属棒状の支軸（軸）５２を下方に突設してある。
【００２７】
図６及び図２１，図３１に示すように、シャーシ１１の下方に突設され、ＦＲ切換えレバー５１を揺動自在に支持した支軸５０には、樹脂製で大径のカムギヤ（第２のギヤ）５３の円筒部５３ａを回転自在に支持してある。このカムギヤ５３の外周には歯部５３ｂを一体形成してあると共に、下面には偏心した凹状の楕円弧カム部５３ｃを一体形成してある。また、カムギヤ５３の下面のカム部５３ｃの薄肉側には略三角柱状の凸カム部５３ｄを一体突出形成してある。さらに、カムギヤ５３の円筒部５３ａのレバー５１側には、樹脂製で小径の従動ギヤ５４をばね等から成るクラッチ機構５５を介して回転自在に支持してある。
【００２８】
図３，５に示すように、ＦＲ切換えレバー５１の絞り部５１ａは、停止状態時（再生操作レバー２２により押圧されていない状態の時）のピンチローラ切換えレバー２４のコ字状の後片部２４ｃに対向する位置に位置しており、該ピンチローラ切換えレバー２４が再生操作レバー２２により押圧されて一対のキャプスタン１６，１７側へ移動した再生状態の時には、上記絞り部５１ａは後片部２４ｃに係合するようになっている。この係合時に、図２４に示すように、ディレクション切り換え操作レバー８０を右側に操作してピンチローラ切り換えレバー２４を左側に移動させると、ＦＲ切の換えレバー５１の支軸５２側が巻取りリール台１４のギヤ１４ａ側に移動し、図２５に示すように、ディレクション切り換え操作レバー８０を左側に操作してピンチローラ切り換えレバー２４を右側に移動させると、ＦＲ切の換えレバー５１の支軸５２側が供給リール台１３のギヤ１３ａ側に移動するようになっている。
【００２９】
また、図３３に示すように、ＦＲ切換えレバー５１の右側の折曲げ片５１ｂには、早送り操作レバー４２の折曲げ片４２ｆが当接，離反自在になっており、該当接時にＦＲ切の換えレバー５１の支軸５２側が巻取りリール台１４のギヤ１４ａ側に移動するようになっている。さらに、図３４に示すように、ＦＲ切換えレバー５１の左側の折曲げ片５１ｃには、巻戻し操作レバー４３の折曲げ片４３ｆが当接，離反自在になっており、該当接時にＦＲ切の換えレバー５１の支軸５２側が供給リール台１３のギヤ１３ａ側に移動するようになっている。
【００３０】
図６，図１２に示すように、ＦＲ切換えレバー５１の支軸５２には、回動部材としての樹脂製の首振りギヤ（第１のギヤ）５６を回転及び上下動自在に支持してある。この首振りギヤ５６は、上側に大径歯部５６ａを、下側に該歯部５６ａと一体成形された小径歯部５６ｂを、それぞれ有している。また、支軸５２の係止部５２ａには、ポリエチレンテレフタレート（ＰＥＴＰ）により薄肉板状に形成されたく字状のフリクションレバー（伝達部材）５７の一端側のスリット５７ｂを有した孔部（係合部）５７ａを係脱自在に取付けてある。さらに、首振りギヤ５６の小径歯部５６ｂとフリクションレバー５７の孔部５７ａの回りとの間には、金属製のコイルばね（弾性部材）５８を介在してある。
【００３１】
このコイルばね５８の弾性付勢力に抗して停止時と早送り時及び巻戻し時に、図３１に示すように、首振りギヤ５６の上面の突出部５６ｃが再生操作レバー２２の後端（先端）のシャーシ１１の下面側に突出した再生操作レバー２２の折曲げ片２２ｇに当接して該首振りギヤ５６は下方（図３１中上方）に位置している。この時、首振りギヤ５６の小径歯部５６ｂがカムギヤ５３の歯部５３ｂに噛合するようになっている。また、図２１に示すように、再生及び逆転再生時には、首振りギヤ５６の突出部５６ｃが再生操作レバー２２の折曲げ片２２ｇから離反して該首振りギヤ５６は上方（図２１中下方）に位置している。この時、首振りギヤ５６の大径歯部５６ａがカムギヤ５３と共に回転する従動ギヤ５４に噛合するようになっている。さらに、上記コイルばね５８の弾性付勢力と上記首振りギヤ５６の接触摩擦力とにより該首振りギヤ５６の回転力を上記支軸５２に支持されたフリクションレバー５７に伝達するようになっている。図１３，１４に示すように、このフリクションレバー５７の他端側には幅広の長孔部５７ｃを形成してあり、後述する第１の検出レバー６６の鉤部６６ｅに係止されるようになっている。
【００３２】
図７，図８に示すように、シャーシ１１の下面の右側及び中央から斜め左側において各々樹脂製の支軸６０及び支軸６１と、爪部６２Ａを有した支軸６２と、爪部６３Ａを有した支軸６３とを、アウトサート成形により下方にそれぞれ一体突出成形してある。図４，６，２２に示すように、支軸６０には上側の大径歯部６４ａと下側の小径歯部６４ｂを一体形成した樹脂製の第１の中間ギヤ６４を、支軸６１には供給リール台１３のギヤ１３ａに噛合する樹脂製の第２の中間ギヤ６５を、それぞれ回転自在に支持してある。また、支軸６２には樹脂製の第１の検出レバー（第１の検出手段）６６を、支軸６３には樹脂製の第２の検出レバー（第２の検出手段）６７を、それぞれ揺動自在に支持してある。
【００３３】
図４，２２に示すように、第１の中間ギヤ６４の大径歯部６４ａは右側の従動プーリ１８Ｒの歯部１８ａに噛合していると共に、該中間ギヤ６４の小径歯部６４ｂはカムギヤ５３の歯部５３ｂに噛合している。また、図４，６，１７に示すように、第１の検出レバー６６は、中央部６６ａを支軸６２に揺動自在に支持して先端部６６ｂと略三角柱状の基端部６６ｃとで略く字状に成っている。図６，図１４に示すように、この検出レバー６６の先端部６６ｂの上部には、カムギヤ５３の凹状の楕円弧カム部５３ｃと凸カム部５３ｄに摺動する略三角柱状のカムフォロア６６ｄを、その下部には、両側に突出してフリクションレバー５７の長孔部５７ｃが係脱自在に取付けられる鉤部６６ｅを、それぞれ一体突出成形してある。
【００３４】
さらに、図４，１７に示すように、第２の検出レバー６７は、中央に長孔部６７ａを有して右側の略三角柱状の先端部６７ｂと基端部６７ｃとで略Ｌ字状に成っている。また、第２の検出レバー６７の基端部６７ｃの上部には円柱状の第１起立部６７ｄを一体突出形成してある。また、検出レバー６７の基端部６７ｃ側の下部にはハ字状の捩りばね６８を係止した円柱状の第２起立部６７ｅを、その左端側には逆Ｌ字状の第３起立部（係止部）６７ｆを、それぞれ一体突出形成してある。
【００３５】
そして、図２３，２７に示すように、磁気テープ１０３の両面再生のＦＷＤ時には、第１の検出レバー６６の基端部６６ｃは第２の検出レバー６７の先端部６７ｂの下方に離れて位置しており、図２８に示すように、磁気テープ１０３の走行方向を再生走行方向から逆転再生走行方向へ切換える時には、第１の検出レバー６６の基端部６６ｃを第２の検出レバーの先端部６７ｂの下側より上方に押圧して該第２の検出レバー６７の基端部６７ｃを右方向に移動させるようになっている。また、図２５，２９に示すように、磁気テープ１０３の両面再生のＲＶＳ時には、第１の検出レバー６６の基端部６６ｃは第２の検出レバー６７の先端部６７ｂの上方に離れて位置しており、図３０に示すように、磁気テープ１０３の走行方向を逆転再生走行方向から再生走行方向へ切り換える時には、第１の検出レバー６６の基端部６６ｃを第２の検出レバー６７の先端部６７ｂの上側より下方に押圧して該第２の検出レバー６７の基端部６７ｃを左方向に移動させるようになっている。
【００３６】
図７，１１に示すように、シャーシ１１の下面の左前側コーナ部には、プレス加工等により下方に凹状に突出する突出部１１ｊをその深さが塑性加工の限界に近いところまで絞り形成してある。この突出部１１ｊの中央にはねじ孔部１１ｋをタップ加工等により形成してあると共に、その回りにはアウトサート成形により樹脂製の円筒部７１を下方に一体突出成形してある。この円筒部７１の下端外周縁７１ａには印刷配線基板７２の孔部７２ａを嵌め込んであると共に、該印刷配線基板７２をねじ孔部１１ｋに螺合するアースねじ（導通部材）７３を介して締結固定してある。このアースねじ７３の頭部７３ａが印刷配線基板７２のアースパターン７２ｂに接触することにより、該印刷配線基板７２のアースパターン７２ｂがアースねじ７３を介してシャーシ１１と導通するようになっている。
【００３７】
また、図５〜８及び図１５に示すように、シャーシ１１の左前縁側には、下方にＬ字状に折り曲げられた平面円弧状の一対の曲げ部１１ｍ，１１ｎを有している。また、シャーシ１１の各曲げ部１１ｍ，１１ｎに対向する位置には、各々樹脂製の爪部８９Ａを有した支軸８９と、爪部９９Ａを有した支軸（軸）９９を、アウトサート成形により下方にそれぞれ一体突出成形してある。この一方の支軸８９にはディレクション切換え操作レバー（第２の切換え手段）８０を、他方の支軸９９にはモード切換え操作レバー（第４の切換え手段）９０を、それぞれ揺動自在に支持してある。ディレクション切換え操作レバー８０の前側には操作部８１を一体突出形成してあると共に、操作部８１の後方には第２の検出レバー６７に係止された捩りばね６８の両端部のいずれか一方が交互に掛止される起立部８２を一体突出形成してある。また、ディレクション切換え操作レバー８０の起立部８２の中央には支軸８９を挿通させた円筒部８３を形成してあると共に、その後部右側には第２の検出レバー６７の第１起立部６７ｄが係止される台形の孔部８４を形成してある。さらに、図５に示すように、ディレクション切換え操作レバー８０の上面の後左側には、シャーシ１１の孔部１１ｐよりシャーシ１１の上面側に露出する一対のピン部８５，８５を一体突出形成してある。この一対のピン部８５，８５間で、ピンチローラ切換えレバー２４の左端縁の折曲げ片２４ｈを係止している。
【００３８】
図１５，１６に示すように、モード切換え操作レバー９０の前側には操作部９１を、中央には支軸９９を挿通させた円筒部９３を、この円筒部９３の後方にはロック部９４を、該円筒部９３の右側には略逆Ｓ字状の可動部９５を、それぞれ一体突出形成してある。このモード切換え操作レバー９０の操作部９１と円筒部９３との間のシャーシ１１の曲げ部１１ｎに対向する位置には、該曲げ部１１ｎが入り込む凹部９２を形成してある。また、ロック部９４の上面には支軸９９と爪部９９Ａと一体形成された三角状の突出部９９Ｂの両側のいずれか一方に係止される円錐状の起立部９４ａを一体突出形成してある。さらに、可動部９５の先端突起９５ａは、図１８，２６に示すように、片面再生のテープ１０３の走行方向を逆転再生走行方向から自動停止へ切換える時に、ロックレバー４０の折曲片４０ｎと第２の検出レバー６７の第３起立部６７ｆとの間に挿入されるようになっている。図２０に示すように、このテープ１０３の走行方向を逆転再生走行方向から自動停止へ切換える時におけるロックレバー４０のロック解除のためのストローク量Ｈは、各操作レバー２２，４１，４２のロック状態を解除するために必要なロックレバー４０の最小ストローク量ｘよりも長く設定してある（先端突起９５ａの幅ｈに応じて各操作レバー２２，４１，４２のロック解除後もロックレバー４０はＨ−ｘの量だけ左側にスライドする）。
【００３９】
そして、図１７に示すように、一対のピンチローラ３０，３１の位置を切り換えるピンチローラ切換えレバー２４と、モータ１９等により回転するカムギヤ５３と、第１，第２の検出レバー６６，６７と、ディレクション切換え操作レバー８０等により、テープエンドから磁気テープ１０３の往復路（Ａ面←→Ｂ面）を自動反転（オートディレクション）させるオートディレクション機構６９が構成されている。また、図２４，２６に示すように、ロックレバー４０、スイッチレバー４１と、カムギヤ５３と、第１，第２の検出レバー６６，６７と、モード切換え操作レバー９０等により、磁気テープ１０３の走行方向を逆転再生走行方向から自動停止へ切り換える時（シャットオフ時）に電源スイッチ４７のオフ動作を遅らせる電源保持機構７０が構成されている。
【００４０】
以上実施例のオートリバース式テープレコーダ１によれば、図３，図２１及び図３１に示すように、メカデッキ部１０のシャーシ１０上の中央に配置された再生操作レバー２２の先端の折曲げ片２２ｇの位置によって首振りギヤ５６が上，下動し、再生（ＦＷＤ）及び逆転再生（ＲＶＳ）と、早送り（ＦＦ）及び巻戻し（ＲＥＷ）の切り換えが行われる。即ち、再生ボタン４を押して再生操作レバー２２を捩りばね２３の付勢力に抗して押圧操作すると、再生操作レバー２２の折曲げ片２２ｅがロックレバー４０の再生操作用の鉤部４０ｆとスイッチレバー４１の再生操作用の凹部４１ｆにロックされる。この時、図１８に示すように、ロックレバー４０のリンク爪４０ｋによりスイッチレバー４１が左側（巻戻し操作レバー４３側）にスライドして折曲げ片４１ｍにより電源スイッチ４７の操作部４７ａが押されて電源オンとなる。この電源オン状態は、ロックレバー４０の鉤部４０ｆに再生操作レバー２２の折曲げ片２２ｅがロックされることにより保持され、停止操作レバー４４により再生操作レバー２２のロック状態が解除されるまで保持される。この再生操作レバー２２のスライドにより、図２１に示すように、再生操作レバー２２の先端の折曲げ片２２ｇが首振りギヤ５６の突出部５６ｃから離反し、コイルばね５８の弾性付勢力により首振りギヤ５６が上方（図中下方）に位置する。その結果、首振りギヤ５６の大径歯部５６ａがカムギヤ５３と共に回転する従動ギヤ５４に噛合するようになっている。
【００４１】
また、図３３，図３４に示すように、早送り操作レバー４２或は巻戻し操作レバー４３を各ボタン５，６を介して押圧操作すると、再生操作レバー２２のロックレバー４０によるロック状態が解除されると共に、上記再生操作レバー２２の場合と同様に、ロックレバー４０及びスイッチレバー４１が左側にスライドして電源スイッチ４７の操作部４７ａが押されて電源オンとなる。この電源オン状態は、停止操作レバー４４により電源スイッチ４７がオフされるまで保持される。この時、上記再生操作レバー２２の折曲げ片２２ｇが首振りギヤ５６の上面の突出部５６ｃ側に移動してコイルばね５８の弾性付勢力に抗して首振りギヤ５６を下方（図３１中上方）に移動させる。その結果、首振りギヤ５６の小径歯部５６ｂがカムギヤ５３の歯部５３ｂに噛合する。
【００４２】
上記再生状態、即ち、再生操作レバー２２を押してピンチローラ切換えレバー２４が該再生操作レバー２２により押圧されて一対のキャプスタン１６，１７側へ移動した状態において、ディレクション切換え操作レバー８０を手動で操作することで磁気テープ１０３の往路（Ａ面）と復路（Ｂ面）の走行方向を切り換えることができる。このマニュアルリバースを詳述すると、再生状態において、ピンチローラ切換えレバー２４のコ字状の後片部２４ｃ内にＦＲ切換えレバー５１の絞り部５１ａが位置しており、図２４に示すように、ディレクション切換え操作レバー８０を右側に操作すると、該ディレクション切換え操作レバー８０によりピンチローラ切り換えレバー２４が左側に移動する。その結果、ＦＲ切換えレバー５１が絞り部５１ａを介して時計方向に揺動し、該ＦＲ切換えレバー５１の支軸５２に支持されている首振りギヤ５６が巻取りリール台１４のギヤ１４ａに噛合する。また、図２５に示すように、ディレクション切り換え操作レバー８０を左側に操作すると、ピンチローラ切り換えレバー２４が右側に移動する。その結果、ＦＲ切換えレバー５１が絞り部５１ａを介して反時計方向に揺動し、該ＦＲ切の換えレバー５１の支軸５２に支持されている首振りギヤ５６が供給リール台１３のギヤ１３ａに噛合している中間ギヤ６５に噛合する。
【００４３】
この中間ギヤ６５或は巻取りリール台１４のギヤ１４ａに噛合した首振りギヤ５６はカムギヤ５３と共に回転する従動ギヤ５４により時計方向に回転する。この際に、首振りギヤ５６の接触摩擦力とコイルばね５８の弾性付勢力とにより該首振りギヤ５６の回転力は支軸５２の下部の係止部５２ａに支持されたフリクションレバー５７に伝達される。これにより、フリクションレバー５７を介して第１の検出レバー６６のカムフォロア６６ｄがカムギヤ５３の楕円弧カム部５３ｃに摺動する。
【００４４】
次に、図２３，図２５に示すように、モード切換え操作レバー９０を両面再生モードに切り換え操作した場合におけるテープエンドから磁気テープ１０３の往復路（Ａ面←→Ｂ面）を自動反転（オートディレクション）させる作用について説明する。
【００４５】
図２３，図２７は、磁気テープ１０３の再生（ＦＷＤ）走行中の状態を示す。この時、ディレクション切換え操作レバー８０は右側に位置しており、図２３に示すように、ピンチローラ切換えレバー２４は左側に位置して右側のキャプスタン１７に右側のピンチローラ３１が磁気テープ１０３を挾んで当接している。また、ピンチローラ切換えレバー２４とディレクション切換え操作レバー８０との間には動作ストローク上の微小の遊び（所謂ガタ）が設置されている。ここで、ピンチローラ切換えレバー２４は捩りばね２８の付勢力により左側に固定されているので、ディレクション切換え操作レバー８０の起立部８２の右端側に当接している捩りばね６８の弾性付勢力によりディレクション切換え操作レバー８０の操作部８１は左方向へ、第２の検出レバー６７の先端部６７ｂは図２７中矢印Ｇ方向へ上記遊び分だけ各支軸８９，６３を中心に回転する。この時、第１の検出レバー６６の基端部６６ｃが第２の検出レバー６７の先端部６７ｂの下方に少し離れて位置してディレクション動作（ＦＷＤ→ＲＶＳ反転動作）に必要な位置決めがなされる。
【００４６】
そして、図２８に示すように、磁気テープ１０３が巻取りリール台１４に終わりまで巻き取られると、該リール台１４のギヤ１４ａ及び首振りギヤ５６が停止する。この停止状態においてもクラッチ機構５５によりカムギヤ５３は回転を続け、フリクションレバー５７の反力により第１の検出レバー６６のカムフォロア６６ｄがカムギヤ５３の略三角柱状の凸カム部５３ｄ側に移動して該凸カム部５３ｄに摺動する。これにより、第１の検出レバー６６が時計方向に、第２の検出レバー６７が反時計方向に、ディレクション切り換え操作レバー８０が時計方向に、それぞれ回転する。
【００４７】
上記のように、磁気テープ１０３の走行方向を再生走行方向から逆転再生走行方向へ切換える時（ＦＷＤ→ＲＶＳ反転動作時）に、図２８に示すように、第１の検出レバー６６の基端部６６ｃが第２の検出レバーの先端部６７ｂを下側より上方に押圧して該第２の検出レバー６７の基端部６７ｃを反時計方向に移動させる。これにより、ディレクション切換え操作レバー８０が時計方向側に移動し、図２８に示すように、ピンチローラ切換えレバー２４は右側にスライドして左側のキャプスタン１６に左側のピンチローラ３０が当接してディレクション動作が完了する。この時、図２８に示すように、捩りばね６８には弾性付勢力が発生しており、第１の検出レバー６６のカムフォロア６６ｄがカムギヤ５３のカム部５３ｄを通過した後で、上記捩りばね６８及びピンチローラ切換えレバー２４は捩りばね２８により位置が固定されているため、第２の検出レバー６７のみが捩りばね６８の弾性付勢力により復帰する。
【００４８】
図２９は、磁気テープ１０３の逆転再生（ＲＶＳ）状態を示す。この図２９に示すように、第２の検出レバー６７が捩りばね６８の弾性付勢力により戻された後、フリクションレバー５７を介して第１の検出レバー６６のカムフォロア６６ｄがカムギヤ５３の楕円弧カム部５３ｃに摺動する。この時、ディレクション切換え操作レバー８０の起立部８２の左端側に当接している捩りばね６８の弾性付勢力により、ピンチローラ切換えレバー２４とディレクション切換え操作レバー８０との間の動作ストローク上の微小の遊び分ディレクション切換え操作レバー８０の操作部８１は図２９中右方向へ、第１の検出レバー６７の先端部６７ｂは図２９中矢印Ｇ方向へ上記遊び分だけ各支軸８９，６３を中心に回転する。これにより、第１の検出レバー６６の基端部６６ｃが第２の検出レバー６７の先端部６７ｂの上方に少し離れて位置して次のディレクション動作（ＲＶＳ→ＦＷＤ反転動作）に必要な位置決めがなされる。
【００４９】
そして、図２９に示す磁気テープ１０３の逆転再生（ＲＶＳ）中において、磁気テープ１０３が供給リール台１３に終わりまで巻き取られると、該供給リール台１３のギヤ１３ａと中間ギヤ６５及び首振りギヤ５６が停止する。この停止状態においてもクラッチ機構５５によりカムギヤ５３は回転を続け、フリクションレバー５７の反力により図３０に示すように第１の検出レバー６６のカムフォロア６６ｄがカムギヤ５３の略三角柱状態の凸カム部５３ｄ側に移動して該カム部５３ｄに摺動する。これにより、第１の検出レバー６６が時計方向に、第２の検出レバー６７も時計方向に、ディレクション切り換え操作レバー８０が反時計方向に、それぞれ回転する。
【００５０】
図３０に示すように、磁気テープ１０３の走行方向を逆転再生走行方向から再生走行方向へ切り換える時（ＲＶＳ→ＦＷＤ反転動作時）に、第１の検出レバー６６の基端部６６ｃが第２の検出レバーの先端部６７ｂを上側より下方に押圧して該第２の検出レバー６７の基端部６７ｃを時計方向に移動させる。これにより、ディレクション切換え操作レバー８０が反時計方向側に移動し、図３０に示すように、ピンチローラ切換えレバー２４は左側にスライドして左側のキャプスタン１６から左側のピンチローラ３０が離れ、かつ、右側のキャプスタン１７に右側のピンチローラ３１が当接してディレクション動作が完了する。この時、図３０に示すように、ディレクション切換え操作レバー８０の起立部８２の右端側に当接している捩りばね６８には弾性付勢力が発生しており、第１の検出レバー６６のカムフォロア６６ｄがカムギヤ５３のカム部５３ｄを通過した後で、上記捩りばね６８及びピンチローラ切換えレバー２４は捩りばね２８により位置が固定されているため、第２の検出レバー６７のみが捩りばね６８の弾性付勢力により図２７に示す状態に復帰する。
【００５１】
このように、ピンチローラ切換えレバー２４とディレクション切換え操作レバー８０との間には動作ストローク上の微小の遊び（所謂ガタ）を設置し、ディレクション切換え操作レバー８０の起立部８２の両端側のいずれか一方の端側に交互に当接する捩りばね６８の弾性付勢力によりディレクション切換え操作レバー８０の操作部８１を左、右方向へ移動させ、磁気テープ１０３の走行方向を再生走行方向から逆転再生走行方向へ切換える時には、第１の検出レバー６６の基端部６６ｃを第２の検出レバー６７の先端部６７ｂの下側より上方に、磁気テープ１０３の走行方向を逆転再生走行方向から再生走行方向へ切換える時には、上記第１の検出レバー６６の基端部６６ｃを上記第２の検出レバー６７の先端部６７ｂの上側より下方に、それぞれ押圧して該第２の検出レバー６７を時計，反時計方向にそれぞれ揺動させるようにしたことにより、図１７に示すように、中間レバーを可及的に削減して部品点数及び組立工数を削減した簡単な構造の新規なオートディレクション機構６９を低コストで提供することができる。また、動作ロスの低減を図ることができると共に、機構の省スペース化を図ってテープレコーダ１全体の小型薄型及び軽量化をより一段と図ることができる。
【００５２】
次に、図１８，図２６に示すように、モード切換え操作レバー９０を片面再生モードに切り換え操作した場合における逆転再生（ＲＶＳ）から自動停止（ＳＴＯＰ）へ自動的に切り換わるシャットオフ機能について説明する。
【００５３】
片面再生の磁気テープ１０３の走行方向がＲＶＳ方向から自動停止へ切り換わる時（シャットオフ時）には、図１８，２６に示すように、上記モード切換え操作レバー９０の操作部９１を右側に移動して、その可動部９５の先端突起９５ａを予めロックレバー４０の折曲片４０ｎと第２の検出レバー６７の第３起立部６７ｆとの間に挿入しておく。
【００５４】
そして、ＲＶＳのテープエンドにおいて、図３０に示すディレクション動作時と同様に、磁気テープ１０３が供給リール台１３に終わりまで巻き取られると、該リール台１３のギヤ１３ａと中間ギヤ６５及び首振りギヤ５６が停止する。この停止状態においてもクラッチ機構５５によりカムギヤ５３は回転を続け、フリクションレバー５７の反力により図３０に示すように第１の検出レバー６６のカムフォロア６６ｄがカムギヤ５３の略三角柱状の凸カム部５３ｄ側に移動して該カム部５３ｄに摺動する。これにより、第１の検出レバー６６が時計方向に、第２の検出レバー６７も時計方向に、ディレクション切り換え操作レバー８０が反時計方向に、それぞれ回転する。
【００５５】
この第１の検出レバー６６の時計方向の回転時に、第１の検出レバー６６の基端部６６ｃが第２の検出レバー６７の基端部６７ｂを上側より下方に押圧して、図３０に示すように、該第２の検出レバー６７の起立部６７ｆを時計方向に移動させると、図２０に示すように、第２の検出レバー６７の起立部６７ｆがモード切換操作レバー９０の可動部９５の先端突起９５ａを挾んでロックレバー４０の折曲片４０ｎを左側に押圧する。各操作レバー２２，４２，４３のロック解除に必要なロックレバー４０のスライド量は図２０のｘであるので該ロックレバー４０がｘの量だけスライドした時に再生操作レバー２２のロックレバー４０によるロック状態は解除される。しかし、ロックレバー４０は再生操作レバー２２のロック解除後も図２０中の（Ｈ−ｘ）量だけ左側にスライドする。この時、ロックレバー４０のリンク爪４０ｋが電源スイッチ４７をオン，オフするスイッチレバー４１の矩形の孔部４１ｋに係合されていて該スイッチレバー４１を共に左側にスライドさせる。これにより、図１８に示すように、スイッチレバー４１はシャットオフ時にのみ第１の検出レバー６６のカムフォロア６６ｄがカムギヤ５３の略三角柱状の凸カム部５３ｄを乗り越えてロックレバー４０が解放されるまで電源スイッチ４７の操作部４７ａを押しつづけることになり、第１の検出レバー６６のカムフォロア６６ｄがカムギヤ５３の略三角柱状の凸カム部５３ｄに乗り上げたまま電源が遮断されることがない。
【００５６】
このように、第１の検出レバー６６のカムフォロア６６ｄがカムギヤ５３の凸カム部５３ｄから完全に離れるまで電源遮断のタイミングを遅らせることができるので、シャットオフ後で再び再生操作レバー２２を押圧操作して電源スイッチ４７をオン動作する時に、モータ１９等の駆動機構への負荷が大きくなることはなく、また、第１の検出レバー６６及び第２検出レバー６７等の変形や、再生操作レバー２２等がロックレバー４０にロックされたまま操作できなくなる等の弊害が発生することはない。
【００５７】
また、図７，図８に示すように、シャーシ１１の下面の前側に軸部を成す大，小径絞り部３７ａ，３７ｂを有する左右一対の２段絞り部３７，３７を、下面中央に軸部を成す前後一対の小径絞り部３８，３８をプレス加工等によりそれぞれ一体突出成形し、これら一対の絞り部３７，３７の各大径絞り部３７ａ，３７ａにロックレバー４０とスイッチレバー４１とをそれぞれ左右方向にスライド自在に積層すると共に、該一対の絞り部３７，３７の右側の小径絞り部３７ｂ及び右側の小径絞り部３８に早送り操作レバー４２を、左側の小径絞り部３７ｂ及び左側の小径絞り部３８に巻戻し操作レバー４３を、それぞれ前後方向にスライド自在に積層したので、一対の絞り部３７，３７の各大径絞り部３７ａ，３７ａをスライドの基準ガイドとしてロックレバー４０とスイッチレバー４１とを左右方向に確実にスライドさせることができる。
【００５８】
また、図９，図１０に示すように、一対の絞り部３７，３７の各小径絞り部３７ｂ，３７ｂにスライド自在に支持された早送り操作レバー４２と巻戻し操作レバー４３とを各かしめ部３７ｃ，３７ｃ及び一対の絞り部３８，３８の各かしめ部３８ｃ，３８ｃにより抜け止めして前後方向に確実にスライドさせることができる。このように、わずか４ケ所の各かしめ部３７ｃ，３７ｃ，３８ｃ，３８ｃにより４つの各操作レバー４０，４１，４２，４３をそれぞれスライド自在に係止し、他の軸やＥリング等の別の止め部品を必要としないので、部品点数及び組立工数を大幅に削減して全体の低コスト化を一層図ることができる。さらに、各絞り部３７の大径絞り部３７ａと小径絞り部３７ｂとで深絞りとなっていると共に、かしめ部３７ｃ，３８ｃを含めた各絞り部３７，３８はシャーシ１１と一体に構成されているため、各操作レバー４０，４１，４２，４３をシャーシ１１に取付ける際の位置精度が出し易くて組立て作業性が良く、また機械的強度も強くなり、高精度のテープレコーダ１を安価に提供できる利点がある。
【００５９】
さらに、図１２〜図１４に示すように、ＦＲ切換えレバー５１の支軸５２の係止部５２ａに、ポリエチレンテレフタレート（ＰＥＴＰ）製で薄肉板状のフリクションレバー５７の一端側の孔部５７ａをスリット５７ｂを介して係脱自在に取付けるようにしたので、支軸５２にカムギヤ５６等を組立てる際に、上記フリクションレバー５７の一端側はコイルばね５８の固定用止めワッシャとして機能すると共に、カムギヤ５６との摩擦によって発生する回転力を第１の検出レバー６６側に伝達するためのレバーとしての機能を兼ねるものとなる。
【００６０】
また、フリクションレバー５７にＰＥＴＰを使用するため、大幅な薄肉化（例えば、０．１２５〜０．１８８ｍｍ）が可能である。更に厚さが０．１２５〜０．１８８ｍｍ程度のＰＥＴＰは柔軟性が高いため、フリクションレバー５７の他端側の長孔部５７ｃと連結される第１の検出レバー６６の鉤部６６ｅが図１４に示すように同一平面上になくてもフリクションレバー５７の他端側を弾性変形させることにより容易に組み込んで連結させることができる。この組立て後には、図１３に示すように、フリクションレバー５７の他端側は元の形状に戻るので、該フリクションレバー５７の長孔部５７ｃが第１の検出レバー６６の鉤部６６ｅからはずれることはない。このように、フリクションレバー５７の孔部５７ａとスリット５７ｂが止めワッシャとしての機能を有するため、別部品である止めワッシャを必要とせず、この点からも構成部品点数及び組立工数の削減を図ることができると共に、組立て易さによる作業性改善の効果を期待することができる。また、テープレコーダ１全体の薄肉化をより一層図ることができる。
【００６１】
また、図１１に示すように、シャーシ１１の下面と印刷配線基板７２の上面との距離Ｈは例えば７．１ｍｍに設定してあり、該シャーシ１１の下面の左前側コーナ部に高さ（深さ）が例えば３ｍｍで直径が例えば６ｍｍの凹状の突出部１１ｊを塑性加工の限界に近いところまで深絞り形成し、その部分にアウトサート成形によりポリアセタール等の合成樹脂製の円筒部７１を一体的に設けて高さ７．１ｍｍとした。そして、図７，１１に示すように、印刷配線基板７２をアースねじ７３で螺合すると、このアースねじ７３を介して印刷配線基板７２のアースパターン７２ｂと金属板製のシャーシ１１とが導通し、テープ走行駆動系による静電気を除去することができると共に、帯電を防止することができる。
【００６２】
このように、シャーシ１１をプレス加工した後に突出部１１ｊの中央にねじ孔部１１ｋをタップ加工し、その回りにアウトサート成形を行うだけで軸部が構成されるため、例えば従来行っていた金属製の基板取付軸等の別部品をシャーシ１１にかしめ等により別途取付ける必要がなくなり、その分部品点数及び組立工数の削減を図って全体の低コスト化を図ることができる。さらに、凹状の突出部１１ｊ及び円筒部７１はプレス成形とアウトサート成形によりシャーシ１１に一体突出成形されるので、上記従来の基板取付軸等をシャーシ１１にかしめにより固定する場合よりも強度のアップが図られ、テープレコーダ１を誤って落としても落下時の衝撃力に十分耐えることができる強度を有して故障の少ないテープレコーダ１を安価で提供することができる。
【００６３】
さらに、図１５，１６に示すように、シャーシ１１の左前縁側において下方にＬ字状に折り曲げられた平面円弧状の曲げ部１１ｎに対向する位置に、ポリアセタール等の合成樹脂製の爪部９９Ａを有した支軸（軸）９９をアウトサート成形により下方に一体突出成形すると共に、上記支軸９９に合成樹脂製のモード切換え操作レバー９０の円筒部９３を回動自在に支持し、該モード切換え操作レバー９０の操作部９１と円筒部９３との間のシャーシ１１の曲げ部１１ｎに対向する位置に該曲げ部１１ｎが入り込む凹部９２を形成したので、テープレコーダ１を誤って落下させてモード切換え操作レバー９０の操作部９１に図１６に示すような衝撃力Ｐが加わっても、この衝撃力Ｐを上記凹部９２の壁面がシャーシ１１の曲げ部１１ｎに当たることにより該曲げ部１１ｎで受け止めることができる。その結果、落下時等にモード切換え操作レバー９０にかかる衝撃力Ｐがシャーシ１１の曲げ部１１ｎで受け止められて直接支軸９９に伝わることがなく、該支軸９９への影響を最小限に抑えることができる。
【００６４】
このように、上記シャーシ１１の前縁部に曲げ部１１ｎを折り曲げ形成すると共に、該曲げ部１１ｎに対向する位置のモード切換え操作レバー９０の操作部９１の円筒部９３との間に凹部９２を形成したので、部品構成を変えることなく、モード切換え操作レバー９０への落下時等の衝撃による支軸９９の折れ等の欠損を確実に防止することができる。また、支軸９９の直径を小さくしても落下時の衝撃力Ｐにより支軸９９が折れたりすることもなく、部品コストをアップさせることなく軸折れ防止の強度の向上をより一段と図ることができる。尚、上記シャーシ１１のもう一方の曲げ部１１ｍとディレクション切換え操作レバー８０の操作部８１の円弧状の後壁８１ａ（図５に示す）とで上記モード切換え操作レバー９０の場合と同様に支軸８９の折れ等の欠損を確実に防止することができる。
【００６５】
図３６は他の実施例のオーディオ用のオートリバース式テープレコーダ（リバース式記録再生装置）１′を示す。このテープレコーダ１′では、キャビネット２′の正面の巻戻しボタン６とディレクション切換え操作レバー８０との間に録音ボタン８を設けると共に、モード切換え操作レバー９０の左隣側にマイクロフォン９を内蔵して録音，再生できるようにしたものである。
【００６６】
図３７はオーディオ用のオートリバース式テープレコーダ（リバース式記録再生装置）１に適用される別の実施例の回動力伝達機構の首振りギヤ５６を示す。この首振りギヤ５６は前記実施例と同様にＦＲ切換えレバー５１に起立した支軸（軸）５２に回動及び上下動自在に支持してある。この首振りギヤ５６上の支軸５２の回りにコイルばね５８′の巻き部５８ａを介装してある。このコイルばね５８′の弾性付勢力と上記首振りギヤ５６の接触摩擦力とにより該首振りギヤ５６の回転力は第１の検出レバー６６（図６の第１の検出レバー６６を援用する）に伝達されるようになっている。また、このコイルばね５８′の巻き部５８ａの上端部側はワッシャ５９で係止されていると共に、該上端部の一端側は、上記第１の検出レバー６６の鉤部６６ｅに係止されるフック形状の腕部５８ｂとなって該鉤部６６ｅ側に延びている。
【００６７】
図３７，図３８に示すように、コイルばね５８′の上端のフック形状になった腕部５８ｂは、伝達部材としての機能を兼用し、また、首振りギヤ５６との接触による摩擦が発生して回転力がコイルばね５８′に与えられる。さらに、ギヤ比切換えのために大径歯部５６ａと小径歯部５６ｂとから成る上記首振りギヤ５６が上下動作を行う際に、復帰用コイルばねとして作用する。このように、上記３つの機能をコイルばね５８′の１つの構成部材のみにより達成することができるので、前記実施例と同様に、部品点数を削減することができると共に、組立工数を低減することができる。また、図３７に示すように、コイルばね５８′の上端の腕部５８ｂは首振りギヤ５６の上下動作による位置変化は生じないため、連結される第１の検出レバー６６等の接続に要するスペースは最小スペースだけ確保されれば良く、装置全体の小型化を図ると共に、ギヤ圧入等の寸法の微細な管理が不要となる。
【００６８】
尚、前記各実施例によれば、記録再生装置としてオーディオテープレコーダについて説明したが、ビデオテープレコーダ（ＶＴＲ）等の他の記録再生装置に適用できることは勿論である。また、各操作レバーを元の位置に復帰させる弾性付勢部材として捩りばねを用いたが、弾性付勢部材は捩りばねに限らず、引張りばね等の他の弾性付勢部材でもよい。
【００６９】
【発明の効果】
以上のように、この発明によれば、金属製のシャーシ上に複数のスライドレバーを軸部に積層して、この複数のスライドレバーを上記シャーシの面と水平方向にスライド自在に取り付けた記録再生装置のスライドレバー取り付け構造において、上記軸部はシャーシに各々絞り加工による大径絞り部と、この大径絞り部上に小径絞り部を一体に突設して構成し、上記大径絞り部に、この大径絞り部に一方のスライドレバーをスライド自在に挿通し、上記小径絞り部に、この小径絞り部に他方のスライドレバーをスライド自在に挿通し、上記一方のスライドレバーはシャーシの面と他のスライドレバーとにより軸方向の移動が規制され、上記他方のスライドレバーは小径絞り部の上端を外側にかしめて、鍔部を形成し、この鍔部と上記大径絞り部とで軸方向の移動を規制したことにより、従来のように金属製の軸や止め部材等の別の部品を必要とすることなく複数のスライドレバーをスライド自在にそれぞれ支持することができると共に、部品点数及び組立工数を大幅に削減して全体の低コスト化を一層図ることができる。さらに、金属製のシャーシに複段絞り部とかしめ部を一体成形したので、複数のスライドレバーを取付ける際の位置精度が出し易くて組立て作業性が良く、機械的強度も強くなる利点がある。
【図面の簡単な説明】
【図１】この発明の実施例を示すオートリバース式テープレコーダの斜視図。
【図２】上記テープレコーダとテープカセットの斜視図。
【図３】上記テープカセットのマイクロコンピュータやプランジャ等の電気的制御を受けないメカデッキ部の平面図。
【図４】上記メカデッキ部の要部の透視図。
【図５】上記メカデッキ部の要部の斜視図。
【図６】上記メカデッキ部を裏側から見た平面図。
【図７】上記メカデッキ部のシャーシを裏側から見た斜視図。
【図８】上記シャーシを裏側から見た平面図。
【図９】図８のＸ−Ｘ線に沿う断面図。
【図１０】図９のＹ部分の拡大断面図。
【図１１】上記シャーシのアース部分の断面図。
【図１２】上記メカデッキ部の首振りギヤ部分の断面図。
【図１３】上記首振りギヤの回転力を伝達するフリクションレバーの平面図。
【図１４】上記フリクションレバーの取付手順を示す斜視図。
【図１５】上記メカデッキ部のモード切換え操作レバー部分の平面図。
【図１６】図１５のＺ−Ｚ線に沿う断面図。
【図１７】上記メカデッキ部のオートディレクション機構の概略構成図。
【図１８】上記メカデッキ部の電源保持機構の概略構成図。
【図１９】上記メカデッキ部のロックレバーとスイッチレバーの連係関係を示す拡大断面図。
【図２０】上記ロックレバーとモード切換え操作レバーの連係関係を示す拡大説明図。
【図２１】上記メカデッキ部の再生，逆転再生時の首振りギヤとカムギヤ（回動力伝達機構）の関係を示す断面図。
【図２２】上記再生，逆転再生時の駆動系の説明図。
【図２３】上記メカデッキ部の両面再生時の動作を示す説明図。
【図２４】上記メカデッキ部の片面再生時の動作を示す説明図。
【図２５】上記メカデッキ部の両面逆転再生時の動作を示す説明図。
【図２６】上記片面逆転再生時から自動停止へ切り換わる時の動作を示す説明図。
【図２７】上記メカデッキ部の再生走行中の動作を示す要部の説明図。
【図２８】上記メカデッキ部の再生から逆転再生へ切り換わる時の要部の説明図。
【図２９】上記逆転再生走行中の動作を示す要部の説明図。
【図３０】上記逆転再生から再生へ切り換わる時の動作を示す要部の説明図。
【図３１】上記メカデッキ部の停止及び早送り，巻戻し時の首振りギヤとカムギヤ（回動力伝達機構）の関係を示す断面図。
【図３２】上記早送り，巻戻し時の駆動系の説明図。
【図３３】上記メカデッキ部の早送り時の動作を示す説明図。
【図３４】上記メカデッキ部の巻戻し時の動作を示す説明図。
【図３５】上記テープレコーダの正面図。
【図３６】他の実施例のテープレコーダの正面図。
【図３７】別の実施例の首振りギヤとフリクションレバーの断面図。
【図３８】上記フリクションレバーの平面図。
【図３９】従来のテープレコーダのスライドレバー取付構造の断面図。
【符号の説明】
１…記録再生装置
１１…シャーシ
４０，４１，４２…スライドレバー
３７…複段絞り部
３７ａ…大径絞り部
３７ｂ…小径絞り部
３７ｃ…かしめ部
【図１】
0003575101.tif 000002
【図２】
0003575101.tif 000003
【図３】
0003575101.tif 000004
【図４】
0003575101.tif 000005
【図５】
0003575101.tif 000006
【図６】
0003575101.tif 000007
【図７】
0003575101.tif 000008
【図８】
0003575101.tif 000009
【図９】
0003575101.tif 000010
【図１０】
0003575101.tif 000011
【図１１】
0003575101.tif 000012
【図１２】
0003575101.tif 000013
【図１３】
0003575101.tif 000014
【図１４】
0003575101.tif 000015
【図１５】
0003575101.tif 000016
【図１６】
0003575101.tif 000017
【図１７】
0003575101.tif 000018
【図１８】
0003575101.tif 000019
【図１９】
0003575101.tif 000020
【図２０】
0003575101.tif 000021
【図２１】
0003575101.tif 000022
【図２２】
0003575101.tif 000023
【図２３】
0003575101.tif 000024
【図２４】
0003575101.tif 000025
【図２５】
0003575101.tif 000026
【図２６】
0003575101.tif 000027
【図２７】
0003575101.tif 000028
【図２８】
0003575101.tif 000029
【図２９】
0003575101.tif 000030
【図３０】
0003575101.tif 000031
【図３１】
0003575101.tif 000032
【図３２】
0003575101.tif 000033
【図３３】
0003575101.tif 000034
【図３４】
0003575101.tif 000035
【図３５】
0003575101.tif 000036
【図３６】
0003575101.tif 000037
【図３７】
0003575101.tif 000038
【図３８】
0003575101.tif 000039
【図３９】
0003575101.tif 000040